(57)【要約】      （修正有）【課題】ユーザが実店舗において行った対象行為に対して、ユーザ及び実店舗の双方においてオペレーションの追加やシステムの改修を行うことなく容易に成果報酬の還元を行う成果報酬還元システム、成果報酬還元処理方法及び成果報酬還元処理プログラムを提供する。【解決手段】成果報酬還元システム１は、ユーザの端末に表示されるウェブページに成果報酬型広告を掲載するとともに、対象行為が行われた場合にユーザに対して成果報酬を還元するためのデータを保持する報酬還元サーバと、成果報酬型広告の選択操作に応じて、選択された成果報酬型広告と決済用カードの情報とを関連付けて保持し、成果報酬型広告への登録処理を行うとともに、国際ブランドサーバから取得した取引情報に基づいて報酬還元サーバにおける成果報酬の還元の可否の判断基準となる還元可否判断情報を生成し、報酬還元サーバに還元可否判断情報を送信する管理サーバとを備える。【選択図】図２
2020201877.tif 000002
【特許請求の範囲】
【請求項１】
ユーザの端末に表示されるウェブページに、前記ユーザに対して成果報酬を還元する成果報酬型広告を掲載するとともに、前記ユーザによって予め登録されたクレジットカード、デビットカード又はプリペイドカードのいずれかである決済用カードを用いて前記成果報酬型広告の成果報酬の支払い対象となる対象行為が行われた場合に、前記ユーザに対して前記成果報酬を還元するためのデータを保持する報酬還元サーバと、
前記端末から入力された前記成果報酬型広告の選択操作に応じて、選択された前記成果報酬型広告と前記決済用カードの情報とを関連付けて保持し、前記端末からの応答に応じて前記成果報酬型広告への登録処理を行うとともに、店舗における決済用カードの取引情報を保持する国際ブランドサーバから取得した前記取引情報に基づいて前記報酬還元サーバにおける成果報酬の還元の可否の判断基準となる還元可否判断情報を生成し、前記報酬還元サーバに対して前記還元可否判断情報を送信する管理サーバと、
を備える成果報酬還元システム。
【請求項２】
前記管理サーバは、前記取引情報に基づいて前記対象行為が完了したか否かを判断し、判断結果を前記還元可否判断情報として前記報酬還元サーバに送信する
請求項１に記載の成果報酬還元システム。
【請求項３】
前記管理サーバは、前記取引情報を処理して前記報酬還元サーバごとに分けられたプログラム別取引情報を生成し、前記プログラム別取引情報を前記還元可否判断情報として前記報酬還元サーバに送信する
請求項１に記載の成果報酬還元システム。
【請求項４】
前記管理サーバは、前記国際ブランドサーバに対して、前記成果報酬型広告の選択指示が入力された端末への決済用カードの情報の入力画面を送信させる
請求項１から３のいずれか１項に記載の成果報酬還元システム。
【請求項５】
前記管理サーバは、前記国際ブランドサーバに対して、前記成果報酬型広告の選択指示が入力された端末への決済用カードの情報の入力画面を送信させる
請求項１から４のいずれか１項に記載の成果報酬還元システム。
【請求項６】
前記管理サーバは、自サーバが前記成果報酬型広告を配信したロイヤルティプログラムのプログラムＩＤを前記国際ブランドサーバに送信することにより、前記国際ブランドサーバに対して、前記プログラムＩＤに対応する取引情報の取得要求を行う
請求項１から５のいずれか一項に記載の成果報酬還元システム。
【請求項７】
ユーザの端末に、前記ユーザに対して成果報酬を還元する成果報酬型広告を掲載し、
前記ユーザによって前記端末から入力された前記成果報酬型広告の選択操作に応じて、選択された前記成果報酬型広告への登録処理を行い、
前記成果報酬型広告の選択指示が入力された端末に対してクレジットカード、デビットカード又はプリペイドカードのいずれかである決済用カードの情報の入力画面を表示させて、前記ユーザの決済用カードの情報の入力を受け付け、
選択された前記成果報酬型広告と、前記ユーザの決済用カードの情報とを関連付けて保持し、
店舗における決済用カードの取引情報を取得し、
取得した前記取引情報に基づいて成果報酬の還元の可否の判断基準となる還元可否判断情報を生成し、
前記還元可否判断情報に基づいて、前記決済用カードを用いて前記成果報酬型広告の成果報酬の支払い対象となる対象行為が行われたか否かを判断し、
前記ユーザによって前記対象行為が完了した場合に、前記ユーザに対して前記成果報酬を還元する
ことをコンピュータが実行する成果報酬還元処理方法。
【請求項８】
ユーザの端末に、前記ユーザに対して成果報酬を還元する成果報酬型広告を掲載することと、
前記ユーザによって前記端末から入力された前記成果報酬型広告の選択操作に応じて、選択された前記成果報酬型広告への登録処理を行うことと、
前記成果報酬型広告の選択指示が入力された端末に対してクレジットカード、デビットカード又はプリペイドカードのいずれかである決済用カードの情報の入力画面を表示させて、前記ユーザの決済用カードの情報の入力を受け付けることと、
選択された前記成果報酬型広告と、前記ユーザの決済用カードの情報とを関連付けて保持することと、
店舗における決済用カードの取引情報を取得することと、
取得した前記取引情報に基づいて、成果報酬の還元の可否の判断基準となる還元可否判断情報を生成することと、
前記還元可否判断情報に基づいて、前記決済用カードを用いて前記成果報酬型広告の成果報酬の支払い対象となる対象行為が行われたか否かを判断することと、
前記ユーザによって前記対象行為が完了した場合に、前記ユーザに対して前記成果報酬を還元するためのデータを作成することと
をコンピュータに実行させる成果報酬還元処理プログラム。
【発明の詳細な説明】
【技術分野】
【０００１】
本発明は、成果報酬還元システム、成果報酬還元処理方法及び成果報酬還元処理プログラムに関する。
【背景技術】
【０００２】
商品やサービスを提供する提供者がインターネットサイト上に成果報酬型広告を掲載し、当該広告を介して商品の購入やサービスへの支払い等の対象行為を行ったユーザに対して、成果報酬の一部を例えばポイントとして還元する成果報酬還元システムが知られている。ユーザがオンライン店舗で対象行為を行う場合、成果報酬還元システムは、インターネット上でのユーザの行動をトラッキングすることにより、ユーザが対象行為を行ったか否かを判断する事ができる（特許文献１）。
【０００３】
一方、ユーザが実店舗において対象行為を行った場合、成果報酬還元システムは、広告を介して商品の購入やサービスへの支払い等が行われたか否かをトラッキングにより判断することができない。そこで、オンライン上で成果報酬を還元するためにクーポン等を発行するシステムが提案されている。このような成果報酬還元システムでは、印刷された又は携帯端末の画面に表示されたクーポン等をユーザが実店舗に持参し、店舗において販売員がクーポンの読み取りを行うこと等により、広告を介して実店舗にて対象行為が行われたことを判断する事が可能となる。
【先行技術文献】
【特許文献】
【０００４】
【特許文献１】特開２０１６−２１８８７０号公報
【発明の概要】
【発明が解決しようとする課題】
【０００５】
しかしながら、クーポンを用いる成果報酬還元システムでは、ユーザがクーポンを印刷又はダウンロードして店舗に持参したり、店舗において販売員が成果報酬還元のためにクーポンの読み取りを行う必要がある。したがって、クーポンを用いる成果報酬還元システムでは、ユーザ及び店舗の双方において成果報酬還元のための追加オペレーションが必要となる。また、店舗では、成果報酬還元のためのＰＯＳ（Point Of Sale）システム等の改修が必要となる。
【０００６】
そこで、本発明は、ユーザが実店舗において行った対象行為に対して、容易に成果報酬の還元を行うことが可能な成果報酬還元システム、成果報酬還元処理方法及び成果報酬還元処理プログラムを提供することを目的とする。
【課題を解決するための手段】
【０００７】
上述の課題を解決するために、本発明の一態様に係る成果報酬還元システムは、ユーザの端末に表示されるウェブページに、ユーザに対して成果報酬を還元する成果報酬型広告を掲載するとともに、ユーザによって予め登録されたクレジットカード、デビットカード又はプリペイドカードのいずれかである決済用カードを用いて成果報酬型広告の成果報酬の支払い対象となる対象行為が行われた場合に、ユーザに対して成果報酬を還元するためのデータを保持する報酬還元サーバと、端末から入力された成果報酬型広告の選択操作に応じて、選択された成果報酬型広告と決済用カードの情報とを関連付けて保持し、端末からの応答に応じて成果報酬型広告への登録処理を行うとともに、店舗における決済用カードの取引情報を保持する国際ブランドサーバから取得した取引情報に基づいて報酬還元サーバにおける成果報酬の還元の可否の判断基準となる還元可否判断情報を生成し、報酬還元サーバに対して還元可否判断情報を送信する管理サーバと、を備えることを特徴とする。
【０００８】
上述の課題を解決するために、本発明の他の態様に係る成果報酬還元処理方法は、ユーザの端末に、ユーザに対して成果報酬を還元する成果報酬型広告を掲載し、ユーザによって端末から入力された成果報酬型広告の選択操作に応じて、選択された成果報酬型広告への登録処理を行い、成果報酬型広告の選択指示が入力された端末に対してクレジットカード、デビットカード又はプリペイドカードのいずれかである決済用カードの情報の入力画面を表示させて、ユーザの決済用カードの情報の入力を受け付け、選択された成果報酬型広告と、ユーザの決済用カードの情報とを関連付けて保持し、店舗における決済用カードの取引情報を取得し、取得した取引情報に基づいて成果報酬の還元の可否の判断基準となる還元可否判断情報を生成し、還元可否判断情報に基づいて、決済用カードを用いて成果報酬型広告の成果報酬の支払い対象となる対象行為が行われたか否かを判断し、ユーザによって対象行為が完了した場合に、ユーザに対して成果報酬を還元することを、コンピュータが実行することを特徴とする。
【０００９】
上述の課題を解決するために、本発明の他の態様に係る成果報酬還元処理プログラムは、ユーザの端末に、ユーザに対して成果報酬を還元する成果報酬型広告を掲載することと、ユーザによって端末から入力された成果報酬型広告の選択操作に応じて、選択された成果報酬型広告への登録処理を行うことと、成果報酬型広告の選択指示が入力された端末に対してクレジットカード、デビットカード又はプリペイドカードのいずれかである決済用カードの情報の入力画面を表示させて、ユーザの決済用カードの情報の入力を受け付けることと、選択された成果報酬型広告と、ユーザの決済用カードの情報とを関連付けて保持することと、店舗における決済用カードの取引情報を取得することと、取得した取引情報に基づいて、成果報酬の還元の可否の判断基準となる還元可否判断情報を生成することと、還元可否判断情報に基づいて、決済用カードを用いて成果報酬型広告の成果報酬の支払い対象となる対象行為が行われたか否かを判断することと、ユーザによって対象行為が完了した場合に、ユーザに対して成果報酬を還元するためのデータを作成することと、をコンピュータに実行させることを特徴とする。
【発明の効果】
【００１０】
本発明は、ユーザが実店舗において行った対象行為に対して、容易に成果報酬の還元を行うことが可能な成果報酬還元システム、成果報酬還元処理方法及び成果報酬還元処理プログラムを提供する。
【図面の簡単な説明】
【００１１】
【図１】本実施形態に係る成果報酬還元システムによって提供される成果報酬還元サービスの概要を示す概略図である。
【図２】本実施形態に係る成果報酬還元システムの構成の一例を示すブロック図である。
【図３】本実施形態に係る成果報酬還元システムにおいて実行される広告へのエントリー処理を示すシーケンスチャートである。
【図４】端末の表示部に表示されるログイン画面の一例を示す図である。
【図５】端末の表示部に表示されるポイントサイト画面の一例を示す図である。
【図６】端末の表示部に表示される広告画面の一例を示す図である。
【図７】端末の表示部に表示されるカード情報入力画面の一例を示す図である。
【図８】本実施形態に係る成果報酬還元システムにおいて実行されるユーザへの成果報酬還元処理を示すシーケンスチャートである。
【発明を実施するための形態】
【００１２】
１．成果報酬還元システムの構成
以下、本実施形態に係る成果報酬還元システムについて詳細に説明する。
＜成果報酬還元システムの全体構成＞
図１は、本実施形態に係る成果報酬還元システム１によって提供される成果報酬還元サービスの概要を示す概略図である。図２は、成果報酬還元システム１及び成果報酬還元システム１と接続される各部の構成の一例を示すブロック図である。
【００１３】
図１を用いて、成果報酬を還元するサービスについて説明する。
本実施形態にかかる成果報酬還元システム１は、実店舗において、ユーザが予め登録した成果報酬型広告の成果報酬の支払い対象となる商品の購入等を事前に登録したクレジットカード等の決済用カードを用いて行った場合に、ユーザに対して成果報酬を還元するシステムである。
なお、本実施形態において、「決済用カード」とは、クレジットカードや、国際カードブランドによって決済されるデビットカードやプリペイドカード等も含むものとする。以下、決済用カードとしてクレジットカードを用いた例について説明するが、本実施形態の技術はデビットカードやプリペイドカードを用いて決済を行うことも可能である。
【００１４】
ユーザは、クレジットカードの所有者であり、ユーザに対して成果報酬を還元するロイヤルティプログラムを提供するポイントサイト（例えばポイントサイトＡ，Ｂ，Ｃ）のいずれかの会員である。ユーザは、スマートフォン等の端末を操作して、ポイントサイトのいずれかにアクセスすることにより、端末にポイントサイトの画面を表示させる。ポイントサイトには、各種の成果報酬型広告（以下、広告という場合がある）が掲載されており、成果報酬還元システム１が提供する広告（「実店舗でお買いものしてポイントをもらおう！」と記載された広告）が掲載されている。
【００１５】
ユーザによって「実店舗でお買いものしてポイントをもらおう！」と記載された広告の選択操作が端末に入力されると、端末１０の表示が成果報酬型広告が複数掲載されたサイトに遷移する。当該サイトは、ＣＬＯ（Card Linked Offer）サービスが提供されるＣＬＯモールである。ＣＬＯモールに掲載された広告には、成果報酬（例えばポイント）の還元率や、成果報酬が還元される条件（例えば所定の実店舗で商品を購入する際の最低金額等）が記載されている。
【００１６】
ＣＬＯモールに掲載された広告のうちのいずれかがユーザによって選択されると、端末には、ユーザが使用するクレジットカードの情報（クレジットカード番号、有効期限等）が入力される入力画面が表示される。ユーザがクレジットカードの情報を入力し、登録操作を行うことにより、ユーザの広告エントリーが完了する。
【００１７】
ユーザは、エントリーした広告に記載された実店舗において、登録したクレジットカードを用いて商品の購入を行う。当該店舗は、クレジットカードの加盟店である。加盟店は、クレジットカードでの取引情報を、使用されたクレジットカードの国際ブランドのサーバに送信する。
成果報酬還元システム１は、国際ブランドのサーバから、クレジットカードの取引情報を取得する。成果報酬還元システム１は、自身で保持する情報（ユーザがエントリーした広告及びクレジットカード番号もしくはその暗号化された情報）とクレジットカードの取引情報に基づいて、ユーザが成果報酬の支払い対象となる対象行為を行ったか否かを判断する。成果報酬還元システム１は、ユーザが対象行為を行ったと判断した場合に、ポイントサイトを通じてユーザにポイント等の成果報酬を還元する。
【００１８】
図２を用いて、上述した成果報酬を還元するサービスを提供するシステムについて詳細に説明する。
図２に示すように、成果報酬還元システム１は、成果報酬還元サーバ２０、管理サーバ３０を備えている。成果報酬還元システム１は、端末１０及び決済サーバ４０とクレジットカード会社及び日本国内のクレジットカードネットワークサーバ（以下決済ネットワークサーバという）５０と通信可能に構成されている。また、決済ネットワークサーバ５０は、実店舗のカード決済用端末（以下、店舗端末という）６０と通信可能に構成されている。
まず、成果報酬還元システム１と通信する端末１０、決済ネットワークサーバ５０及び店舗端末６０について説明する。
【００１９】
＜ユーザ端末＞
端末１０は、有線又は無線ネットワークを介してインターネットに接続可能な情報端末であり、インターネットを介して成果報酬還元システム１に接続される端末である。端末１０としては、例えばパーソナルコンピュータ（ＰＣ）、タブレット型コンピュータ、スマートフォン等が挙げられる。
【００２０】
図１に示すように、端末１０は、表示部１１及び入力部１２を有している。なお、図１では表示部１１と入力部１２とが一体となったタッチパネルを示している。
入力部１２は、ユーザの操作により入力された端末１０の操作指示や情報を受け付ける。入力部１２は、例えばタッチパッド、入力ボタン、音声入力部等である。
【００２１】
表示部１１は、表示されたウェブブラウザやモバイルアプリケーションを用いて、端末１０がインターネットを介して接続した種々のウェブサイトを表示させることができる。すなわち、端末１０は、インターネットを介して、後述するポイントサイトに接続することができる。表示部１１は、入力部１２と一体に形成されたタッチパッド、液晶ディスプレイ、有機ＥＬ（Electro-Luminescence）ディスプレイ等である。
【００２２】
＜決済ネットワークサーバ＞
決済ネットワークサーバ５０は、例えば三井住友カードや三菱ＵＦＪニコス、ユーシーカード等のクレジットカード会社のサーバ及びＣＡＦＩＳ（Credit And Finance Information Switching system）や日本カードネット等のクレジットカードネットワークを指す。決済ネットワークサーバ５０は、店舗端末６０と通信可能であり自ブランドのクレジットカードの取引情報を収集する。
【００２３】
＜店舗端末＞
店舗端末６０は、商品の販売やサービスの提供を行う実店舗において、クレジットカードを用いた決済を行うための通信端末である。店舗は、国際ブランドのクレジットカード又は国際ブランドと提携したクレジットカードの加盟店である。当該加盟店は、後述する成果報酬型広告の広告主の店舗である。加盟店は、成果報酬型広告を掲載したウェブページ（ポイントサイト）の会員が対象行動を行った場合に、成果報酬還元システム１に対して成果報酬や成果報酬還元システム１の利用手数料を支払う。
【００２４】
店舗端末６０は、実店舗における商品の販売やサービスの提供に対してクレジットカード決済が行われた際に、クレジットカードで決済された取引に関する情報（以下、取引情報という）を決済ネットワークサーバ５０に送信する。
【００２５】
店舗端末６０は、取引情報として、例えば、加盟店名、加盟店所在地（国、住所）、決済した国際ブランド名、クレジットカード番号の全部又は一部、決済金額、決済日時等を決済ネットワークサーバ５０に送信する。
【００２６】
＜成果報酬還元システム＞
以下、成果報酬還元システム１を構成する成果報酬還元サーバ２０、管理サーバ３０及び国際ブランドサーバ４０について説明する。
【００２７】
［報酬還元サーバ］
（報酬還元サーバの機能）
成果報酬還元サーバ２０は、例えばポイントサイトの提供を行うサーバである。
成果報酬還元サーバ２０は、例えばコンピュータにより構成され、ユーザの端末１０に表示されるポイントサイトのウェブページに、ユーザに対して成果報酬を還元する成果報酬型広告を掲載する。また、成果報酬還元サーバ２０は、ユーザによって予め登録されたクレジットカードを用いて広告の成果報酬の支払い対象となる対象行為が行われた場合に、ユーザに対して成果報酬を還元する。
ここで、成果報酬還元サーバ２０によって提供されるウェブページに掲載される成果報酬型広告は、ユーザを外部サイトに掲載された成果報酬型広告へ誘導するハイパーリンクであっても良い。
【００２８】
成果報酬還元サーバ２０は、ユーザが掲載された広告を介して、予め登録されたクレジットカードを用いて商品の購入やサービスへの支払い等の対象行為を行ったユーザに対して、広告主からの成果報酬の一部を還元する。ここで、本実施形態において「掲載された広告を介して」とは、ユーザが、対象行為を行う前後の予め提示された期間内に、掲載された成果報酬型広告から予め希望の広告を選択して登録することをいう。
成果報酬還元サーバ２０は、端末１０、管理サーバ３０からの要求に対して情報や処理結果を提供する。以下、商品又はサービスを商品等と言い、商品の購入やサービスへの支払い等を商品の購入等と言う場合がある。
【００２９】
成果報酬還元サーバ２０は、対象行動が行われたか否かを示す情報（すなわち、ユーザに対する成果報酬の還元の可否の判断基準となる還元可否判断情報）を管理サーバ３０から受信する。
成果報酬還元サーバ２０は、管理サーバ３０によって判断された対象行為が完了したか否かの判断結果を、還元可否判断情報として受信する。管理サーバ３０から送信された判断結果が、対象行為が完了したことを示す場合、成果報酬還元サーバ２０は、対象のユーザに対して成果報酬を還元するためのデータを作成する。
【００３０】
成果報酬還元サーバ２０は、成果報酬として、ポイントサイトの会員であるユーザにポイントサイトがポイントを付与する。また、成果報酬還元サーバ２０は、成果報酬として、ユーザの銀行口座へのキャッシュバックやモバイル送金・決済サービスへの残高付与をうデータを作成しても良い。
【００３１】
（報酬還元サーバの構成）
このような成果報酬還元サーバ２０は、図示しない中央処理装置（ＣＰＵ：Central Processing Unit）、ＲＯＭ（Read Only Memory）、ＲＡＭ（Random Access Memory）、記憶部、通信部、入出力部等を有している。成果報酬還元サーバ２０は、ＣＰＵ、ＲＯＭ、ＲＡＭ、記憶部及び通信部により、端末１０、管理サーバ３０に対する情報や処理結果の提供を行う。
【００３２】
ＣＰＵは、成果報酬還元サーバ２０内の各部の制御を行うとともに、上述したポイントサイトサービスを提供するための情報処理を行う。例えば、ＣＰＵは、端末１０の要求に応じたポイントサイトのユーザの会員情報の登録や、ユーザの対象行為に応じたポイント付与処理等を行う。また、ＣＰＵは、例えば、管理サーバ３０に対するポイントサイト会員の会員情報の送信や、取引情報の要求を行う。
【００３３】
ＲＯＭは、記録されている情報を読み出すことのみが可能なメモリであり、ポイントサイトのサービスを提供するためのプログラムを記憶している。
ＲＡＭは、情報の読み出し及び書き込みが可能なメモリであり、ＣＰＵ動作時のワーキングメモリとして機能する。
【００３４】
記憶部は、例えばハードディスクドライブ（ＨＤＤ：Hard Disk Drive）である。記憶部は、ユーザが選択した広告に関する情報、ユーザの対象行為に関する情報及びユーザに付与されたポイントに関する情報等を記憶する。
【００３５】
ユーザの会員情報は、ポイントサイトによってユーザに付与された会員ＩＤである。ユーザが選択した広告に関する情報は、ポイントサイトに掲載された成果報酬型広告のうちユーザが登録した広告を示す情報である。
ユーザの対象行為に関する情報は、例えば上述した取引情報である。
【００３６】
通信部は、成果報酬還元サーバ２０を、有線又は無線ネットワークを介してインターネットに接続する。これにより、成果報酬還元サーバ２０は、端末１０及び管理サーバ３０とそれぞれ接続され、成果報酬還元サーバ２０と端末１０及び管理サーバ３０との間で情報の送受信が可能となる。
入出力部は、ディスプレイ等の出力部や、マウス、キーボード、タッチパッド等の入力部を接続する接続部である。
【００３７】
［管理サーバ］
（管理サーバの機能）
管理サーバ３０は、例えばＣＬＯ（Card Linked Offer）サービスを提供するサーバである。管理サーバ３０は、例えばコンピュータにより構成され、成果報酬還元サーバ２０に対して広告の配信を行う。また、管理サーバ３０は、端末１０からの応答に応じて広告への登録処理（以下、エントリーという場合がある）を行う。さらに、管理サーバ３０は、国際ブランドサーバ４０から取得した取引情報に基づいて、成果報酬還元サーバ２０における成果報酬の還元の可否の判断基準となる還元可否判断情報を生成し、成果報酬還元サーバ２０に対して還元可否判断情報を送信する。
【００３８】
成果報酬還元サーバ２０に対して配信する成果報酬型広告には、対象行動が成立する条件が記載されている。対象行動が成立する条件としては、対象行動を行う店舗、決済金額、決済日時等が挙げられる。また、成果報酬型広告には、対象行動が成立した場合にユーザに還元される成果報酬（ポイント数等）が掲載されている。
【００３９】
管理サーバ３０は、端末１０の指示に応じて広告へのエントリーを行う際に、ユーザによって選択された広告を提供するロイヤルティプログラム（ポイントサイト）を示すＩＤ（以下、プログラムＩＤという）を登録する。また、管理サーバ３０は、ロイヤルティプログラムにおけるユーザの会員ＩＤを記憶する。
また、管理サーバ３０は、後述する国際ブランドサーバ４０から、ユーザによって登録されたクレジットカードの情報を取得する。管理サーバ３０は、登録されたクレジットカードの情報と、プログラムＩＤ及び会員ＩＤとを関連付けて保持する。
【００４０】
管理サーバ３０は、店舗におけるクレジットカードの取引情報を、後述する国際ブランドサーバ４０から取得する。このとき、管理サーバ３０は、広告の配信を行ったロイヤルティプログラムのプログラムＩＤに基づいて、国際ブランドサーバ４０から所定の取引情報を抽出して取得する。
【００４１】
管理サーバ３０は、取得した取引情報に基づいて、広告を選択したユーザにより対象行為が行われたか否かを判断する。管理サーバ３０は、会員ＩＤ及びプログラムＩＤ並びにクレジットカードの番号と、取得した取引情報とを対比し、対象行動が成立する条件を満たす場合には、ユーザによって対象行動が行われたと判断する。管理サーバ３０は、判断結果を、成果報酬還元サーバ２０に対して通知する。このとき、管理サーバ３０は、保存した取引情報を広告主やポイントサイト別にデータ処理を行うとともに、例えばポイントサイト毎に分けられたプログラム別取引情報を生成し、成果報酬還元サーバ２０のそれぞれに送信する。
【００４２】
（管理サーバの構成）
以上のような管理サーバ３０は、中央演算装置（ＣＰＵ）３１、ＣＬＯモール処理部３２（３２ａ，３２ｂ，３２ｃ）、エントリー処理部３３、ポイントサイト管理部３４、広告主管理部３５、取引情報取得部３６、記憶部３７を有している。また、管理サーバ３０は、図示しないＲＯＭ、ＲＡＭ、通信部及び入出力部等を有している。管理サーバ３０は、ＣＰＵ３１、ＣＬＯモール処理部３２、エントリー処理部３３、ポイントサイト管理部３４、広告主管理部３５、取引情報取得部３６、記憶部３７、ＲＯＭ、ＲＡＭ及び通信部により、成果報酬還元サーバ２０、国際ブランドサーバ４０に対する情報や処理結果の提供を行う。
【００４３】
ＣＰＵ３１は、管理サーバ３０内の各部の制御を行うとともに、上述したポイントサイトサーバへの広告の配信、クレジットカードの取引情報の取得及び対象行為が行われたか否かの判断等を行うための情報処理を行う。
【００４４】
ＣＬＯモール処理部３２は、成果報酬型広告の掲載を行うＣＬＯモールの提供に関する処理を行う。ＣＬＯモール処理部３２は、ＣＬＯモールの画面に成果報酬型広告を掲載する。
なお、図２では、３つのＣＬＯモール処理部３２ａ，３２ｂ，３２ｃを記載しているが、これに限られない。
【００４５】
エントリー処理部３３は、端末１０から入力された広告へのエントリー要求に基づいて、ユーザがエントリーする広告を登録する。また、エントリー処理部３３は、国際ブランドサーバ４０と接続を行い、ユーザが登録したクレジットカードに関する情報の取得や、ポイントサイトの会員ＩＤやプログラムＩＤの送信等のエントリーに関する処理を行う。
【００４６】
ポイントサイト管理部３４は、管理サーバ３０が広告を配信するポイントサイトを管理する。
広告主管理部３５は、ＣＬＯモールで掲載する広告の広告主を管理する。
取引情報取得部３６は、国際ブランドサーバ４０に対してクレジットカードの取引情報の送信を要求し、送信された取引情報を取得する。
【００４７】
記憶部３７は、例えばハードディスクドライブ（ＨＤＤ）である。記憶部３７は、例えばポイントサイトデータベース（ＤＢ）３７ａ、広告主データベース（ＤＢ）３７ｂ、取引情報データベース（ＤＢ）３７ｃを有している。
ポイントサイトデータベース３６ａは、ポイントサイトに付与したＩＤ等を記憶する。
広告主データベース３６ｂは、広告主に付与したＩＤ等を記憶する。
取引情報データベース３６ｃは、取引情報取得部３６で取得したクレジットカードの取引情報を記憶する。
【００４８】
ＲＯＭは、記録されている情報を読み出すことのみが可能なメモリであり、成果報酬の還元サービスを提供するためのプログラムを記憶している。
ＲＡＭは、情報の読み出し及び書き込みが可能なメモリであり、ＣＰＵ３１動作時のワーキングメモリとして機能する。
【００４９】
通信部は、管理サーバ３０を有線又は無線ネットワークを介してインターネットに接続する。これにより、管理サーバ３０は、端末１０及び管理サーバ３０とそれぞれ接続され、成果報酬還元サーバ２０と端末１０及び管理サーバ３０との間で情報の送受信が可能となる。
入出力部は、ディスプレイ等の出力部や、マウス、キーボード、タッチパッド等の入力部を接続する接続部である。
【００５０】
＜国際ブランドサーバ＞
国際ブランドサーバ４０は、例えばＶＩＳＡやＭａｓｔｅｒｃａｒｄ、ＡｍｅｒｉｃａｎＥｘｐｒｅｓｓやＪＣＢなどの決済手段を提供している国際ブランド会社のサーバ及び、国際ブランド会社の提供するサーバと直接接続している中間サーバをいう。
店舗におけるクレジットカードの取引情報を定期的に決済ネットワークサーバ５０から取得して保持する。また、国際ブランドサーバ４０は、端末１０から入力された成果報酬型広告の選択操作に応じて、選択された広告と、当該広告を選択したユーザのクレジットカードの情報とを関連付けて保持する。国際ブランドサーバ４０は、予め保持しているクレジットカードの情報、プログラムＩＤ及び会員ＩＤと、取得した取引情報とを関連付けることで、取引情報と、ロイヤルティプログラム及び会員情報とを対応付けることができる。国際ブランドサーバ４０は、管理サーバ３０からの要求に応じて、所定の取引情報を抽出して管理サーバ３０に送信する。
【００５１】
２．成果報酬還元方法
以下、図３から図８を参照して、本実施形態に係る成果報酬還元方法について説明する。成果報酬還元方法は、成果報酬還元システム１において実行される。
成果報酬還元システム１では、コンピュータにより、以下の（ａ）〜（ｈ）の各処理を備える成果報酬還元処理方法が実行される。コンピュータは、成果報酬還元システム１を構成するコンピュータであっても良く、成果報酬還元システム１を構成するコンピュータと他のコンピュータとが協働しても良い。また、当該成果報酬還元処理方法は、クラウドサーバにより実行されても良い。
【００５２】
（ａ）ユーザの端末に、ユーザに対して成果報酬を還元する成果報酬型広告を掲載する。
（ｂ）ユーザによって端末から入力された成果報酬型広告の選択操作に応じて、選択された成果報酬型広告への登録処理を行う。
（ｃ）成果報酬型広告の選択指示が入力された端末に対してクレジットカードの情報の入力画面を表示させて、ユーザのクレジットカードの情報の入力を受け付ける。
（ｄ）選択された成果報酬型広告と、ユーザのクレジットカードの情報とを関連付けて保持する。
（ｅ）店舗におけるクレジットカードの取引情報を取得する。
（ｆ）国際ブランドサーバから取得した取引情報に基づいて成果報酬の還元の可否の判断基準となる還元可否判断情報を生成する。
（ｇ）還元可否判断情報に基づいて、クレジットカードを用いて成果報酬型広告の成果報酬の支払い対象となる対象行為が行われたか否かを判断する。
（ｈ）ユーザによって対象行為が完了した場合に、ユーザに対して成果報酬を還元する。
【００５３】
以下、本実施形態に係る成果報酬還元処理方法の具体例を説明する。
図３は、成果報酬還元システム１において実行される広告へのエントリー処理を示すシーケンスチャートである。図４から図７は、エントリー処理中における端末１０の表示部１１に表示される画面の例を示す図である。図８は、成果報酬還元システム１において実行されるユーザへの成果報酬還元処理を示すシーケンスチャートである。
【００５４】
以下の説明では、成果報酬還元サーバ２０、管理サーバ３０及び国際ブランドサーバ４０を成果報酬還元システム１として機能させるための各種登録、設定は済んでいるものとする。また、端末１０を操作するユーザは、既に成果報酬還元サーバ２０によって提供されるポイントサイトの会員登録が済んでいるものとする。
また、以下に説明する各ステップの処理において、図３に不図示の判定処理により、入力情報（例えばクレジットカード情報）にエラーがあると判断した場合には、再度前の処理に戻ることがある。
【００５５】
＜エントリー処理＞
以下、成果報酬還元システム１において実行される広告へのエントリー処理について説明する。
図３に示すように、ユーザの操作に応じて、端末１０は、成果報酬還元サーバ２０に対してポイントサイトへのログインを要求する（ステップＳ１１）。成果報酬還元サーバ２０は、ログインを要求した端末１０に対して、ログイン画面情報を送信し（ステップＳ１２）、端末１０の表示部１１にポイントサイトのログイン画面を表示させる（ステップＳ１３）。
図４は、ステップＳ１３における端末１０の表示部１１に表示されるログイン画面の一例を示す図である。ログイン画面には、ユーザに割り当てられたポイントサイトの会員ＩＤ及びパスワード等を入力する入力領域が表示されている。
【００５６】
図３に戻って、ユーザは、端末１０の入力部１２を操作することにより、表示されたログイン画面にポイントサイトの会員ＩＤ及びパスワード等を入力する（ステップＳ１３）。端末１０は、入力された会員ＩＤ及びパスワードを成果報酬還元サーバ２０に送信して、ログイン確認を要求する（ステップＳ１４）。成果報酬還元サーバ２０は、会員ＩＤ及びパスワードが正しい場合に、端末１０に対してログイン後のポイントサイト画面情報を送信し（ステップＳ１５）、端末１０に表示させる（ステップＳ１６）。
【００５７】
図５は、ステップＳ１６における端末１０の表示部１１に表示されるポイントサイト画面の一例を示す図である。ポイントサイト画面には、「お店でポイントを貯める」と記載された広告が掲載されている。当該広告には、後述する管理サーバ３０によって提供され、成果報酬型広告が掲載された外部サイト（例えばＣＬＯモール）に端末１０の接続を誘導するハイパーリンクが付されている。
【００５８】
図３に戻って、ユーザの操作に応じて、「お店でポイントを貯める」と記載された広告の選択操作が端末１０に入力されると（ステップＳ１６）、端末１０は、成果報酬還元サーバ２０に対して選択した広告の画面を要求する（ステップＳ１７）。成果報酬還元サーバ２０は、端末１０からの要求に応じて、端末１０の接続先を管理サーバ３０に遷移させる（ステップＳ１８）。このとき、成果報酬還元サーバ２０は、端末１０のユーザのポイントサイトの会員ＩＤと、ポイントサイトを示すプログラムＩＤとを管理サーバ３０に対して送信する。これにより、端末１０の接続先がＣＬＯモールに遷移する。管理サーバ３０は、成果報酬還元サーバ２０から取得した会員ＩＤ及びプログラムＩＤを受信し、記憶する（ステップＳ１９）。管理サーバ３０は、端末１０に対して成果報酬型広告が掲載された広告画面情報を送信し（ステップＳ２０）、端末１０に表示させる（ステップＳ２１）。
【００５９】
図６は、ステップＳ２１における端末１０の表示部１１に表示されるＣＬＯモールの広告画面の一例を示す図である。広告画面には、複数の成果報酬型広告と、各広告における成果報酬の還元率が表示されている。
【００６０】
図３に戻って、端末１０は、ユーザによって表示された広告画面からエントリーしたい広告の選択操作がなされると（ステップＳ２１）、選択された広告へのエントリーを管理サーバ３０に要求する（ステップＳ２２）。管理サーバ３０は、端末１０によってエントリーが要求された広告を登録し（ステップＳ２３）、国際ブランドサーバ４０に対してクレジットカードの情報を入力するカード情報入力画面を要求する（ステップＳ２４）。国際ブランドサーバ４０は、端末１０に対してカード情報入力画面を送信し（ステップＳ２５）、端末１０に表示させる（ステップＳ２６）。
【００６１】
図７は、ステップＳ２６における端末１０の表示部１１に表示されるカード情報入力画面の一例を示す図である。カード情報入力画面には、クレジットカード番号及び有効期限の入力領域と、登録ボタンがそれぞれ表示されている、また、カード情報入力画面には、クレジットカードに関するその他の情報の入力領域が表示されていても良い。
【００６２】
ここで、インターネット上で検索することにより、管理サーバ３０が提供する成果報酬型広告が掲載されたページを表示した端末１０は、図７に示すカード情報入力画面が表示される前に、図４に示すログイン画面が表示される。端末１０で入力された情報に基づき、ログインが正常に行われた場合には、端末１０において図７に示すカード情報入力画面が表示される。
【００６３】
図３に戻って、端末１０の入力部１２を介してカード情報入力画面にクレジットカードの情報が入力され、登録ボタンの選択操作がなされると（ステップＳ２６）、クレジットカードの情報を国際ブランドサーバ４０に要求する（ステップＳ２７）。国際ブランドサーバ４０は、クレジットカードの情報を受信すると、管理サーバ３０に対してクレジットカードの情報を送信する（ステップＳ２８）。管理サーバ３０は、受信したクレジットカードの情報を、当該クレジットカードを所有するユーザのポイントサイトの会員ＩＤ及びプログラムＩＤと関連付けて登録する（ステップＳ２９）。続いて、管理サーバ３０は、会員ＩＤ及びプログラムＩＤを国際ブランドサーバ４０に送信する（ステップＳ３０）。国際ブランドサーバ４０は、クレジットカードの情報と、管理サーバ３０から受信した会員ＩＤ及びプログラムＩＤとを関連付けて登録する（ステップＳ３１）。これにより、ユーザによる広告のエントリーが完了する。
【００６４】
国際ブランドサーバ４０は、エントリーが完了したことを管理サーバ３０に対して通知する（ステップＳ３２）。このとき、国際ブランドサーバ４０は、管理サーバ３０に対して国際ブランドサーバ４０用の管理ＩＤを送信する。ステップＳ２４からステップＳ３２のエントリー処理は、管理サーバ３０のエントリー処理部３３（図２参照）により行われる。
管理サーバ３０は、成果報酬還元サーバ２０に対してエントリー完了通知を送信する（ステップＳ３３）。また、成果報酬還元サーバ２０は、端末１０に対してエントリー完了通知を送信する（ステップＳ３４）。
以上により、成果報酬還元システム１において実行される広告へのエントリー処理が完了する。
【００６５】
＜実店舗における商品購入等の際の情報処理＞
以下、実店舗においてユーザが商品購入等を行った際における情報処理について説明する。
図８に示すように、実店舗においてユーザによるクレジットカード決済が行われると（ステップＳ４１）、店舗端末６０は、クレジットカードの決済ネットワークサーバ５０に対して取引情報を送信する（ステップＳ４２）。決済ネットワークサーバ５０は、受信した取引情報を登録し（ステップＳ４３）、国際ブランドサーバ４０に対して所定のタイミングで取引情報を送信する（ステップＳ４４）。国際ブランドサーバ４０は、受信した取引情報を登録する（ステップＳ４５）。
【００６６】
＜成果報酬還元処理＞
成果報酬還元システム１において実行されるユーザへの成果報酬還元処理について説明する。
図８に示すように、管理サーバ３０は、所定の期間ごとに国際ブランドサーバ４０に対して取引情報の取得要求を行う（ステップＳ５１）。国際ブランドサーバ４０は、管理サーバ３０からの取得要求に応じて取引データの抽出を行い（ステップＳ５２）、抽出した取引データを管理サーバ３０に送信する（ステップＳ５３）。取引情報の取得要求及び受信は、管理サーバ３０の取引情報取得部３６（図２参照）により行われる。
【００６７】
管理サーバ３０は、受信した取引情報を取引情報データベース３６ｃに登録する（ステップＳ５４）。管理サーバ３０は、受信した取引情報の処理を行い（ステップＳ５５）、成果報酬還元サーバ２０における成果報酬還元の可否の判断基準となる還元可否判断情報を生成する（ステップＳ５６）。管理サーバ３０は、受信した取引情報の処理を行うことにより、成果報酬型広告の成果報酬の支払い対象となる対象行為が、予め登録されたクレジットカードを用いて行われたかどうかを判断する事ができる。管理サーバ３０は、対象行為が完了したか否かの判断結果を、還元可否判断情報として成果報酬還元サーバ２０に送信する（ステップＳ５７）。このとき、管理サーバ３０は、受信した取引情報の処理を行うことにより、ポイントサイト別の取引情報を生成し、成果報酬還元サーバ２０に送信しても良い。
【００６８】
最後に、成果報酬還元サーバ２０は、受信した還元可否判断情報（例えば対象行為が完了したか否かの判断結果）に基づいて、対象ユーザにポイント付与やキャッシュバックを行い、成果報酬を還元する。
以上により、成果報酬還元システム１において実行されるユーザへの成果報酬還元処理が完了する。
【００６９】
３．成果報酬還元プログラム
以下、成果報酬還元システム１における成果報酬還元処理のためのプログラムについて説明する。成果報酬還元システム１は、以下の（ａ）〜（ｈ）の各ステップをコンピュータに実行させるプログラムに従って、成果報酬還元処理を行う。以下のプログラムは、例えばＤＶＤディスク又はBlu-ray（登録商標）等の光ディスクや、ハードディスクドライブ、メモリ等の記録媒体に記録される。以下のプログラムは、インターネットを介して配布されても良い。さらに、以下のプログラムは、クラウドサーバに記録され、インターネットを介して各ステップが実行されても良い。
【００７０】
（ａ）ユーザの端末に、ユーザに対して成果報酬を還元する成果報酬型広告を掲載すること
（ｂ）ユーザによって端末から入力された成果報酬型広告の選択操作に応じて、選択された成果報酬型広告への登録処理を行うこと
（ｃ）成果報酬型広告の選択指示が入力された端末に対してクレジットカードの情報の入力画面を表示させて、ユーザのクレジットカードの情報の入力を受け付けること
（ｄ）選択された成果報酬型広告と、ユーザのクレジットカードの情報とを関連付けて保持すること
（ｅ）店舗におけるクレジットカードの取引情報を取得すること
（ｆ）国際ブランドサーバから取得した取引情報に基づいて、成果報酬の還元の可否の判断基準となる還元可否判断情報を生成すること
（ｇ）還元可否判断情報に基づいて、クレジットカードを用いて成果報酬型広告の成果報酬の支払い対象となる対象行為が行われたか否かを判断すること
（ｈ）ユーザによって対象行為が完了した場合に、ポイントサイトがユーザに対して成果報酬を還元するデータを作成すること
【００７１】
＜本実施形態の効果＞
以上説明した本発明の成果報酬還元システム１及び成果報酬還元システム１で実行される成果報酬還元処理方法及びプログラムは、以下のような効果を奏する。
（１）成果報酬還元システム１は、ユーザによって予め登録された成果報酬型広告及びユーザのクレジットカードの情報と、当該クレジットカードの取引情報とに基づいて、ユーザが成果報酬型広告の成果報酬の支払い対象となる対象行為を行ったか否かを判断する。このため、成果報酬還元システム１では、ユーザ及び実店舗の双方において、成果報酬還元のためのオペレーションの追加やシステムの改修が不要であり、ユーザが実店舗で商品の購入等を行った場合に成果報酬を還元するシステムが容易に構築される。
【００７２】
（２）成果報酬還元システム１は、国際ブランドのサーバから取得した、ユーザがクレジットカードを用いて実店舗で商品を購入等した場合に生成されるクレジットカードの取引情報を用いて、ポイントの付与の判断を行うことができる。また、ユーザが使用するクレジットカードのブランドの制限がほとんどなくなり、ユーザの利便性を向上させることができる。
【００７３】
４．他の実施形態
（１）
本実施形態では、成果報酬還元サーバ２０が、ユーザによって対象行動が行われたか否かを示す判断結果を管理サーバ３０から受信し、受信した判断結果に基づいて成果報酬の還元を行う構成を説明したが、この構成に限られない。
例えば、成果報酬還元サーバ２０は、ユーザによって対象行動が行われたか否かを自サーバで判断しても良い。この場合、成果報酬還元サーバ２０は、管理サーバ３０から、還元可否判断情報としての取引情報と、ポイントサイトの会員の広告へのエントリー情報を受信する。成果報酬還元サーバ２０は、自サーバにおいて取引情報と広告へのエントリー情報とを対比し、ユーザに対する成果報酬の還元の可否を判断する。成果報酬還元サーバ２０は、ユーザが対象行為を完了したと判断した場合、対象のユーザに対してポイントサイトが成果報酬を還元する。
【００７４】
（２）
本実施形態では、成果報酬還元サーバ２０と管理サーバ３０とを有する構成を説明したが、この構成に限られない。
例えば、成果報酬還元サーバ２０と管理サーバ３０とは、一つのサーバで構成されていても良い。
【００７５】
（３）
本実施形態では、掲載された成果報酬型広告から希望の広告を選択して登録し、かつ対象行動が行われた場合に、成果報酬還元サーバ２０がユーザに成果報酬を還元するデータを作成する構成を説明したが、この構成に限られない。
【００７６】
（４）
本実施形態では、ポイントサイトやＣＬＯモールに成果報酬型広告を掲載する構成を説明したが、この構成に限られない。
例えば、成果報酬還元システム１は、ポイントサイトの会員に対して配信するメールに、成果報酬型広告の概要とともにポイントサイトやＣＬＯモールに遷移させるハイパーリンクを付しても良い。
【００７７】
以上、本発明の実施形態について説明したが、本発明の技術的範囲は、上述した実施形態に記載の技術的範囲には限定されない。上述した実施形態に、多様な変更又は改良を加えることも可能であり、そのような変更又は改良を加えた形態も本発明の技術的範囲に含まれ得ることが、特許請求の範囲の記載から明らかである。
【符号の説明】
【００７８】
１  成果報酬還元システム
１０  端末
２０  報酬還元サーバ
３０  管理サーバ
４０  国際ブランドサーバ
５０  決済ネットワークサーバ
６０  店舗端末
【図１】
2020201877.tif 000003
【図２】
2020201877.tif 000004
【図３】
2020201877.tif 000005
【図４】
2020201877.tif 000006
【図５】
2020201877.tif 000007
【図６】
2020201877.tif 000008
【図７】
2020201877.tif 000009
【図８】
2020201877.tif 000010